(57)【要約】【課題】引っ張り荷重が抑制されたフラットケーブル巻取装置を提供すること。【解決手段】フラットケーブル（２）の一端側（２Ａ）が巻き取られ、フラットケーブルの他端側（２Ｂ）が繰り出されるフラットケーブル巻取装置（１）であって、フラットケーブルの他端側が繰り出される際の引っ張り荷重の最大値が、２０ニュートン以下である。【選択図】図７
2015126615.tif 000002
【特許請求の範囲】
【請求項１】
フラットケーブルの一端側が巻き取られ、前記フラットケーブルの他端側が繰り出されるフラットケーブル巻取装置であって、
前記フラットケーブルの他端側が繰り出される際の引っ張り荷重の最大値が、２０ニュートン以下である、
ことを特徴とするフラットケーブル巻取装置。
【請求項２】
前記フラットケーブルを収容するケースと、
該ケース内に設けられて前記フラットケーブルの一端側を固定する中心軸と、該中心軸を中心として回転自在に設けられる回転テーブルと、
前記フラットケーブルを前記ケースの外側から巻き取るための複数のローラと、
該回転テーブルを前記フラットケーブルの巻取方向に付勢する付勢手段と、
を備え、
前記回転テーブルには、円盤状のテーブル本体と、該テーブル本体の上面から突出して形成された複数の案内部と、が一体に設けられ、
前記テーブル本体には、前記フラットケーブルを前記ケースの外側から巻き取るための複数のローラが、前記テーブル本体の周方向に沿って並んで設けられ、
前記複数の案内部は、前記各ローラが配置される位置それぞれに設けられて、前記各ローラを回転自在に支持するとともに、前記各ローラを前記回転テーブルの径方向にスライド案内する
ことを特徴とする請求項１に記載のフラットケーブル巻取装置。
【請求項３】
前記ローラは、その各々が回転中心としての軸部を一体に有し、
前記各案内部は、互いの間に前記軸部を挿入させて、前記軸部を回転自在に支持する一対の支持部を有し、
前記一対の支持部は、前記回転テーブルの径方向と平行な方向に延在して設けられている
ことを特徴とする請求項２に記載のフラットケーブル巻取装置。
【請求項４】
前記ローラは、円盤部と、該円盤部の周縁から円筒状に立設した周壁と、前記円盤部から前記周壁と同じ方向に円柱状に立設した前記軸部と、を一体に備えて構成され、前記一対の支持部は、それぞれ、前記回転テーブルの径方向に直交する方向に対向して、互いの間に前記軸部を挿入させる対向面と、該対向面に連続して設けられて前記周壁の内周面に摺動する円弧状の摺動面と、
を備えていることを特徴とする請求項３に記載のフラットケーブル巻取装置。
【請求項５】
前記付勢手段は、ゼンマイ発条である、
ことを特徴とする請求項２から４のいずれか１項に記載のフラットケーブル巻取装置。
【発明の詳細な説明】
【技術分野】
【０００１】
本発明は、フラットケーブルの一端側が巻き取られ、前記フラットケーブルの他端側が繰り出されるフラットケーブル巻取装置に関する。
【背景技術】
【０００２】
例えば、自動車等において、車両に対してスライド可能に設けられたスライドシートやスライドドア等が利用されている。スライドシートには、乗員が着座しているか否かを検出する着座センサや、シートベルトを装着しているか否かを検出するシートベルトセンサ等の電子機器が取り付けられる。また、スライドドアには、ドアウィンドを開閉駆動するための駆動モータや、ドア解放時に足元を照らすためのドアカーテシランプ等の電子機器が取り付けられている。このため、スライドシートやスライドドア等のスライド体が設けられた車両には、スライド体側の電子機器と車体側に設けられた制御装置等の電子機器とを接続するために、車体とスライド体とに亘って電線を配索する種々の電線配索装置あるいは給電装置が用いられている。
【０００３】
このような電線配索装置においては、スライド体側の電子機器と車体側の電子機器とを接続する電線（例えば、フラットケーブル、又はフラットハーネスと称することもある）に、スライド体のスライドに伴う余長部分が形成されることから、この電線の余長部分を巻き取って電線がスライド体等に干渉しないようにするための巻取装置が用いられている（例えば、特許文献１参照）。
【先行技術文献】
【特許文献】
【０００４】
【特許文献１】特開２００４−３２８９８５号公報
【発明の概要】
【発明が解決しようとする課題】
【０００５】
従来の巻取装置は、フラットケーブルの他端側を繰り出すためにフラットケーブルの他端を引っ張る荷重（以下、この荷重を引っ張り荷重と称する。）が、大きいものであった。引っ張り荷重が大きいと、フラットケーブルの他端が繰り出される方向にスライドシートまたはスライドドアを移動するために必要となる荷重が大きくなってしまう。
【０００６】
また、フラットケーブルの他端を引っ張り、繰り出されるフラットケーブルの長さを長くする過程において、フラットケーブルを繰り出すために最低限必要な引っ張り荷重が変動することがあるが、上述のように引っ張り荷重が大きいと、引っ張り荷重の変動幅も大きくなってしまう。引っ張り荷重の変動幅が大きいと、スライドシートまたはスライドドアを移動するために必要な荷重が安定しない。このため、スライドシートまたはスライドドアを操作する操作者が円滑にスライドシートまたはスライドドアを移動させることができず、操作者に違和感を与えていた。
【０００７】
本発明は、上述した事情に鑑みてなされたものであり、その目的は、引っ張り荷重が抑制されたフラットケーブル巻取装置を提供することにある。
【課題を解決するための手段】
【０００８】
前述した目的を達成するために、本発明に係るフラットケーブル巻取装置は、下記（１）〜（５）を特徴としている。
（１）  フラットケーブルの一端側が巻き取られ、前記フラットケーブルの他端側が繰り出されるフラットケーブル巻取装置であって、
前記フラットケーブルの他端側が繰り出される際の引っ張り荷重の最大値が、２０ニュートン以下である、
ことを特徴とするフラットケーブル巻取装置。
（２）  前記フラットケーブルを収容するケースと、
該ケース内に設けられて前記フラットケーブルの一端側を固定する中心軸と、該中心軸を中心として回転自在に設けられる回転テーブルと、
前記フラットケーブルを前記ケースの外側から巻き取るための複数のローラと、
該回転テーブルを前記フラットケーブルの巻取方向に付勢する付勢手段と、
を備え、
前記回転テーブルには、円盤状のテーブル本体と、該テーブル本体の上面から突出して形成された複数の案内部と、が一体に設けられ、
前記テーブル本体には、前記フラットケーブルを前記ケースの外側から巻き取るための複数のローラが、前記テーブル本体の周方向に沿って並んで設けられ、
前記複数の案内部は、前記各ローラが配置される位置それぞれに設けられて、前記各ローラを回転自在に支持するとともに、前記各ローラを前記回転テーブルの径方向にスライド案内する
ことを特徴とする上記（１）に記載のフラットケーブル巻取装置。
（３）  前記ローラは、その各々が回転中心としての軸部を一体に有し、
前記各案内部は、互いの間に前記軸部を挿入させて、前記軸部を回転自在に支持する一対の支持部を有し、
前記一対の支持部は、前記回転テーブルの径方向と平行な方向に延在して設けられている
ことを特徴とする上記（２）に記載のフラットケーブル巻取装置。
（４）  前記ローラは、円盤部と、該円盤部の周縁から円筒状に立設した周壁と、前記円盤部から前記周壁と同じ方向に円柱状に立設した前記軸部と、を一体に備えて構成され、前記一対の支持部は、それぞれ、前記回転テーブルの径方向に直交する方向に対向して、互いの間に前記軸部を挿入させる対向面と、該対向面に連続して設けられて前記周壁の内周面に摺動する円弧状の摺動面と、
を備えていることを特徴とする上記（３）に記載のフラットケーブル巻取装置。
（５）  前記付勢手段は、ゼンマイ発条である、
ことを特徴とする上記（２）から（４）のいずれか１項に記載のフラットケーブル巻取装置。
【０００９】
上記（１）の構成のフラットケーブル巻取装置によれば、引っ張り荷重が抑制されているため、スライドシートまたはスライドドアを操作する操作者が円滑にスライドシートまたはスライドドアを移動させることができる。
上記（２）の構成のフラットケーブル巻取装置によれば、回転テーブルには、円盤状のテーブル本体と、該テーブル本体の上面から突出して形成された複数の案内部と、が一体に設けられ、テーブル本体には、フラットケーブルをケースの外側から巻き取るための複数のローラが、テーブル本体の周方向に沿って並んで設けられ、複数の案内部は、各ローラが配置される位置それぞれに設けられて、各ローラを回転自在に支持するとともに、各ローラを回転テーブルの径方向にスライド案内するから、各ローラは、テーブル本体の上面から突出して形成された複数の案内部によってスライド案内されることとなり、よって、従来のスライド機構のロータの上面から凹の係止溝を形成する必要がなくなり、係止溝を省略した分だけフラットケーブル巻取装置の上下方向の小型化を図ることができる。また、回転テーブルは、円盤状のテーブル本体と、該テーブル本体の上面から突出して形成された複数の案内部と、を一体に備えているから、回転テーブルとローラとの２つの部材でローラのスライド機構を実現したこととなり、ローラ本体と、軸部と、ロータの３つの部材でスライド機構を実現した従来の巻取機構よりも部品点数を少なくすることができ、組立作業性の向上を図ることができる。また、係止溝を省略することで、回転テーブルの成形を簡易にしつつ、耐ダスト性の向上を図ることができる。
上記（３）の構成のフラットケーブル巻取装置によれば、ローラは、その各々が回転中心としての軸部を一体に有し、各案内部は、互いの間に軸部を挿入させて、軸部を回転自在に支持する一対の支持部を有し、一対の支持部は、回転テーブルの径方向と平行な方向に延在して設けられているから、部品点数を増やすことなく、一対の支持部によって、軸部が回転自在に支持されるとともに回転テーブルの径方向に沿ってスライド案内される構成を実現することができる。
上記（４）の構成のフラットケーブル巻取装置によれば、ローラは、円盤部と、該円盤部の周縁から円筒状に立設した周壁と、円盤部から周壁と同じ方向に円柱状に立設した軸部と、を一体に備えて構成され、一対の支持部は、それぞれ、回転テーブルの径方向に直交する方向に対向する対向面と、該対向面に連続して設けられて周壁の内周面に摺動する円弧状の摺動面と、を備えているから、軸部が対向面に回転及び摺動されつつ、周壁の内周面が摺動面に摺動されることとなり、ローラの回転及びスライド移動を円滑にすることができる。
上記（５）の構成のフラットケーブル巻取装置によれば、付勢手段が簡易に構成される。
【発明の効果】
【００１０】
本発明によれば、引っ張り荷重が抑制されたフラットケーブル巻取装置を提供することができる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、従来のフラットケーブル巻取装置における、繰り出されるフラットケーブルの長さと引っ張り荷重との関係を示すグラフである。
【図２】図２は、本発明のフラットケーブル巻取装置の一実施の形態を示す斜視図である。
【図３】図３は、図２に示されたフラットケーブル巻取装置を示す分解斜視図である。
【図４】図４は、図３に示されたフラットケーブルの巻取装置を構成するローラの裏側を示す斜視図である。
【図５】図５は、図２に示されたフラットケーブル巻取装置の要部を拡大して示す平面図である。
【図６】図６は、図２に示されたフラットケーブル巻取装置の作用を説明するための図である。
【図７】図７は、本発明のフラットケーブル巻取装置の一実施形態における、繰り出されるフラットケーブルの長さと引っ張り荷重との関係を示すグラフである。
【発明を実施するための形態】
【００１３】
本発明に関する具体的な実施形態について、各図を参照しながら以下に説明する。
【００１４】
本発明者は、従来のフラットケーブル巻取装置における、繰り出されるフラットケーブルの長さと引っ張り荷重の関係を検証したところ、図１に示す関係を得た。図１は、従来のフラットケーブル巻取装置における、繰り出されるフラットケーブルの長さと引っ張り荷重との関係を示すグラフである。図１は、繰り出されるフラットケーブルの長さが横軸に、引っ張り荷重が縦軸に、それぞれ割り当てられている。
【００１５】
図１に示すように、従来のフラットケーブル巻取装置では、繰り出されるフラットケーブルの長さが長くなると引っ張り荷重及び引っ張り荷重の変動幅が大きくなる。従来のフラットケーブル巻取装置は、フラットケーブルを繰り出すために最大で５０ニュートン程度の引っ張り荷重が必要となる。
【００１６】
本発明者は、フラットケーブル巻取装置における引っ張り荷重に影響を与える部材を改良し、引っ張り荷重を抑制する種々のフラットケーブル巻取装置を発明してきた（例えば、特開２０１３−１６９０９３号公報）。このなかで、本発明者は、スライドシートまたはスライドドアを円滑に移動できると操作者が感じるためには、フラットケーブルの他端側が繰り出される際の引っ張り荷重の最大値が、２０ニュートン以下であることが好ましい、との知見を得た。
【００１７】
以下では、最大値が２０ニュートン以下の引っ張り荷重を実現する、本発明のフラットケーブル巻取装置の一実施形態を、図２〜図６を参照しながら説明する。
【００１８】
フラットケーブル巻取装置１は、例えば、車両等のフロアにスライド自在に設けられるスライドシートと車両との間に配索されるフラットケーブル２を巻き取るものである。フラットケーブル２は、フロア側に設けられたコネクタ等に一端が接続され、スライドレールに沿って案内されるプロテクタＰに他端側が案内されるとともに、このプロテクタＰを介してフラットケーブル２の他端がスライドシート側のコネクタ等に接続されている。このフラットケーブル巻取装置１は、スライドレールの近傍に設けられ、プロテクタＰの接近移動に伴ってフラットケーブル２を巻き取り、プロテクタＰの離隔移動に伴ってフラットケーブル２を繰り出すことで、当該フラットケーブル巻取装置１とプロテクタＰとの間におけるフラットケーブル２の弛みを防止し、これによりフラットケーブル２がスライドシート等に干渉することを防止する。
【００１９】
フラットケーブル２は、互いに平行な複数の芯線と、各芯線を被覆する絶縁被覆と、を備えて可撓性を有した薄い帯板状に形成されている。芯線は複数の導線が撚られて構成され、被覆部は、合成樹脂から構成されている。このフラットケーブル２は、スライドシートのスライド距離よりも十分に長く形成され、その一端側２Ａ（図２に示す）がフラットケーブル巻取装置１の内部に通されてから外部に引き出され、フロア側のコネクタ等に接続され、他端側２ＢがプロテクタＰを介してスライドシート側のコネクタ等に接続されている。なお、本実施形態では、互いに平行な複数の芯線を有するフラットケーブル２を用いた場合を例示するが、フラットケーブル２としては、任意の断面形状を有していてもよいし、芯線及び絶縁被覆の構成も適宜なものが選択可能である。また、本実施形態では、１枚のフラットケーブル２を用いた場合を例示するが、２枚以上のフラットケーブル２が重ねて用いられてもよい。
【００２０】
フラットケーブル巻取装置１は、図２、図３に示すように、巻き取られたフラットケーブル２を収容するケース３と、このケース３内に回動自在に設けられる回転テーブル４と、この回転テーブル４上に回転自在に支持された複数（本実施形態では、６個）のローラ５と、回転テーブル４をフラットケーブル２の巻取方向Ｒに付勢する付勢手段としての渦巻きばね６と、を備える。ケース３は、回転テーブル４及び渦巻きばね６を収容するロアケース３Ａと、このロアケース３Ａの上面側を覆って該ケース３を中空状に閉じるアッパケース３Ｂと、を備え、ロアケース３Ａ内の略中心部には、回転テーブル４を回動自在に軸支する中心軸７が立設されている。
【００２１】
ロアケース３Ａは、図３に示すように、車両のフロアに平置きで設置され、このフロアに対向する底部３１と、この底部３１の外周に沿って略円筒状に立設された周壁３２と、フラットケーブル２の他端側を外部に導出するためのケーブル導出部３３と、を有して構成されている。アッパケース３Ｂは、略円盤状の天面部３５と、この天面部３５の外周に沿って略円筒状に垂下されてロアケース３Ａの周壁３２に重なる垂下壁３６と、を有して構成されている。
【００２２】
中心軸７は、図３に示すように、ロアケース３Ａの底部３１内面に立設されて全体略円柱状に形成されており、その周囲７Ａによって回転テーブル４を回動自在に支持している。この中心軸７には、周囲７Ａから中心に向かって切り込まれるとともに上面７Ｂに開口したスリット７１と、このスリット７１に直交する方向に切り込まれて上面７Ｂに開口した係止溝７２と、が形成されている。スリット７１は、フラットケーブル２の一端側２Ａを挿通させて係止するもので、このスリット７１に挿通されたフラットケーブル２の一端側２Ａは、スリット７１に連通してロアケース３Ａの底部３１を貫通した貫通孔内に挿入され、ロアケース３Ａの外部に導出されてからフロア側のコネクタ等に接続される。
【００２３】
ケーブル導出部３３は、図３に示すように、ロアケース３Ａの周壁３２の外面から突出して設けられ、その上面に、フラットケーブル２を収容するための１つの溝部３３Ａが形成されている。溝部３３Ａは、ロアケース３Ａの内部と外部とを連通して設けられるとともに、プロテクタＰのスライド方向に沿って直線状に延びて設けられている。溝部３３Ａ内にフラットケーブル２が挿通されることで、フラットケーブル２の他端側２Ｂがケース３の内部と外部とに亘って配索されている。さらに、フラットケーブル２がケース３の内部に巻き取られる際またはケース３の外部に繰り出される際に、溝部３３Ａに沿ってフラットケーブル２が案内されるようになっている。
【００２４】
回転テーブル４は、図３に示すように、円盤状に形成されたテーブル本体４１と、このテーブル本体４１の上面に設けられて、複数のローラ５をそれぞれ回転自在に支持する複数（本実施形態では、６個）の案内部４２と、を一体に備えて構成されている。テーブル本体４１には、その中心位置に、中心軸７を挿通させる孔部４３が形成されている。
【００２５】
複数の案内部４２は、図３に示すように、テーブル本体４１の上面から突出して形成されるとともに、テーブル本体４１の周方向に沿って等間隔で並設されている。ここで、案内部４２の突出方向は、フラットケーブル巻取装置１の上下方向、及び、高さ方向を示している。
【００２６】
また、複数の案内部４２は、図５に示すように、それぞれ、各ローラ５を回転自在でかつテーブル本体４１の径方向にスライド自在に支持する一対の支持部４２Ａ、を備えて構成されている。一対の支持部４２Ａは、それぞれ、上面視が半円形の柱状に形成されていて、テーブル本体４１の径方向に直交する方向に間隔をあけて対向する対向面４４と、この対向面４４の両側縁に連続された曲面から構成されて、ローラ５の内周面に摺動される摺動面４５と、を備えている。一対の対向面４４は、テーブル本体４１の径方向と平行な方向に延在して設けられ、一対の支持部４２Ａ間の離間寸法、即ち、対向面４４の離間寸法は、ローラ５の軸部５３の直径寸法と略等しくなるように形成され、対向面４４の延在方向の寸法は、ローラ５の内径寸法より大きく形成され、案内部４２の対向方向の最大寸法、即ち摺動面４５間の最大寸法は、ローラ５の内径寸法と略等しくなるように形成されている。これらの対向面４４間にローラ５の軸部５３が挿入された状態で、軸部５３即ち、ローラ５は、回転自在でかつテーブル本体４１の径方向にスライド自在に設けられている。
【００２７】
複数のローラ５は、図３、図４に示すように、それぞれ、円盤部５１と、この円盤部５１の周縁から筒状に立設した周壁５２と、円盤部５１から周壁５２と同じ方向に円柱状に立設した軸部５３と、を一体に備えて構成されている。この周壁５２は、その曲率が、案内部４２の摺動面４５の曲率よりも小さくなるように形成されている。複数のローラ５は、その軸部５３を一対の支持部４２Ａ間に挿入することで一対の支持部４２Ａに支持されており、これら複数のローラ５の外周に沿ってフラットケーブル２が巻き付けられるようになっている。また、複数のローラ５のうち、１つのローラ５は、溝部３３Ａからケース３内部に導入されたフラットケーブル２を中心軸７に向かって反転させる反転ローラ５Ａ（図２に示す）とされている。
【００２８】
渦巻きばね６は、弾性を有する金属をスパイラル状に巻いて形成されたゼンマイ発条である。この渦巻きばね６は、中心側の端部が中心軸７の係止溝７２に挿通固定され、外周側の端部が回転テーブル４の下面に係止されることにより、回転テーブル４をフラットケーブル２の巻取方向Ｒに付勢する。すなわち、回転テーブル４を巻取方向Ｒと反対方向に所定数だけ回転させて渦巻きばね６に付勢力を蓄えさせてから、反転ローラ５Ａで反転させたフラットケーブル２を複数のローラ５の外周に巻き付けることにより、渦巻きばね６の復元力によって回転テーブル４が巻取方向Ｒに付勢され、この付勢力によってフラットケーブル２が中心軸７及び回転テーブル４に巻き取られるようになっている。
【００２９】
次に、フラットケーブル巻取装置１の動作を説明する。フラットケーブル２は、スリット７１に係止させたフラットケーブル２の一端側を中心軸７の周囲７Ａに沿って巻き付け、反転ローラ５Ａで反転されて溝部３３Ａからケース３の外部に導出されている。そして、前述のように、渦巻きばね６の復元力によって回転テーブル４を巻取方向Ｒに回転させると、中心軸７の外周と、回転テーブル４の複数のローラ５の外周と、にフラットケーブル２が巻き取られる。この巻取状態からフラットケーブル２が導出され、中心軸７の外周から複数のローラ５の外周へフラットケーブル２が送られることで、フラットケーブル２がケース３の外部へ順次繰り出されるようになっている。
【００３０】
具体的には、図６に示すように、フラットケーブル２を巻取る際に、フラットケーブル２に押されて複数のローラ５が回転テーブル４の径方向内側に移動され、各ローラ５が中心軸７の周囲に押し付けられる。この状態で、フラットケーブル２が中心軸７の周囲に巻かれるから、中心軸７の周囲に生じるフラットケーブル２の弛みを抑制できる。また、フラットケーブル２を繰り出す際には、ローラ５がフラットケーブル２を巻き込みながら回転され、中心軸７の周囲７Ａから巻付けを解かれたフラットケーブル２が、ローラ５の外周側に強制的に送り出されるから、中心軸７の周囲７Ａに生じるフラットケーブル２の弛みを抑制できる。
【００３１】
このようなフラットケーブル巻取装置１において、回転テーブル４には、円盤状のテーブル本体４１と、各ローラ５が配置される位置それぞれに当該テーブル本体４１の上面から突出して形成された複数の案内部４２と、が設けられ、テーブル本体４１には、フラットケーブル２をケースの外側から巻き取るための複数のローラ５が、テーブル本体４１の周方向に沿って並んで設けられ、複数の案内部４２は、それぞれ各ローラ５を回転自在に支持するとともに、各ローラ５を回転テーブル４の径方向にスライド案内するから、フラットケーブル巻取装置１の上下方向の小型化を図ることができる。
【００３２】
尚、上述した実施形態では、一対の支持部４２Ａは、対向面４４と摺動面４５とを有しブロック状に形成されていたが、本発明はこれに限ったものではなく、支持部４２Ａは、テーブル本体４１から立設して設けられた対向面４４を有する立設板から構成されていてもよい。この場合には、摺動面４５は省略されていてもよい。
【００３３】
本発明のフラットケーブル巻取装置１は、案内部４２、ローラ５、渦巻きばね６及び中心軸７が協働することにより、図７に示すように、最大値が２０ニュートン以下の引っ張り荷重によってフラットケーブル２の他端側２Ｂを繰り出すことができる。図７は、本発明のフラットケーブル巻取装置の一実施形態における、繰り出されるフラットケーブルの長さと引っ張り荷重との関係を示すグラフである。
【００３４】
具体的には、渦巻きばね６のばね定数を小さくすることにより、フラットケーブル２の他端側２Ｂを引っ張るために必要な引っ張り荷重が軽減される。また、ローラ５が案内部４２に案内されて回転することにより、フラットケーブル２が繰り出される際にローラ５がフラットケーブル２に及ぼす摩擦力が小さくなり、フラットケーブル２の他端側２Ｂを引っ張るために必要な引っ張り荷重が軽減される。また、ローラ５が回転テーブル４の径方向に移動自在であることにより、フラットケーブル２が繰り出される際にローラ５がフラットケーブル２に及ぼす垂直荷重が小さくなり、フラットケーブル２の他端側２Ｂを引っ張るために必要な引っ張り荷重が軽減される。本発明のフラットケーブル巻取装置１は、こうした作用が複合することにより、最大値が２０ニュートン以下の引っ張り荷重によってフラットケーブル２の他端側２Ｂを繰り出すことができる。
【００３５】
また、本発明のフラットケーブル巻取装置１は、フラットケーブル２を巻取る際またはフラットケーブル２を繰り出す際、中心軸７の周囲７Ａに生じるフラットケーブル２の弛みを抑制することができる。ところで、弛みが有る状態でフラットケーブル２が巻き取られ、その後フラットケーブル２を繰り出す場合、フラットケーブル２を繰り出す過程において弛みのある箇所が伸びきった状態に変化する。このようなフラットケーブル２の形状の変化は、フラットケーブルを繰り出すために最低限必要な引っ張り荷重の変動をもたらす一因である。本発明のフラットケーブル巻取装置１は、中心軸７の周囲７Ａに生じるフラットケーブル２の弛みを抑制することにより、引っ張り荷重の変動幅を、より具体的には、引っ張り荷重の最大値を抑制している。本発明のフラットケーブル巻取装置１は、フラットケーブル２の弛みを抑制する構成も、最大値が２０ニュートン以下の引っ張り荷重によってフラットケーブル２の他端側２Ｂを繰り出すために寄与している。
【００３６】
以上、本発明によれば、引っ張り荷重が抑制されたフラットケーブル巻取装置、具体的には最大値が２０ニュートン以下の引っ張り荷重によってフラットケーブルを繰り出すことができるフラットケーブル巻取装置、を提供することができる。これにより、スライドシートまたはスライドドアを操作する操作者が円滑にスライドシートまたはスライドドアを移動させることができる。
【００３７】
ここで、上述した本発明に係るフラットケーブル巻取装置の実施形態の特徴をそれぞれ以下（１）〜（５）に簡潔に纏めて列記する。
（１）  フラットケーブル（２）の一端側（２Ａ）が巻き取られ、前記フラットケーブルの他端側（２Ｂ）が繰り出されるフラットケーブル巻取装置（１）であって、
前記フラットケーブルの他端側が繰り出される際の引っ張り荷重の最大値が、２０ニュートン以下である、
ことを特徴とするフラットケーブル巻取装置。
（２）  前記フラットケーブルを収容するケース（３）と、
該ケース内に設けられて前記フラットケーブルの一端側を固定する中心軸（７）と、該中心軸を中心として回転自在に設けられる回転テーブル（４）と、
前記フラットケーブルを前記ケースの外側から巻き取るための複数のローラ（５）と、
該回転テーブルを前記フラットケーブルの巻取方向に付勢する付勢手段（渦巻きばね６）と、
を備え、
前記回転テーブルには、円盤状のテーブル本体（４１）と、該テーブル本体の上面から突出して形成された複数の案内部（４２）と、が一体に設けられ、
前記テーブル本体には、前記フラットケーブルを前記ケースの外側から巻き取るための複数のローラが、前記テーブル本体の周方向に沿って並んで設けられ、
前記複数の案内部は、前記各ローラが配置される位置それぞれに設けられて、前記各ローラを回転自在に支持するとともに、前記各ローラを前記回転テーブルの径方向にスライド案内する
ことを特徴とする上記（１）に記載のフラットケーブル巻取装置。
（３）  前記ローラは、その各々が回転中心としての軸部（５３）を一体に有し、
前記各案内部は、互いの間に前記軸部を挿入させて、前記軸部を回転自在に支持する一対の支持部（４２Ａ）を有し、
前記一対の支持部は、前記回転テーブルの径方向と平行な方向に延在して設けられている
ことを特徴とする上記（２）に記載のフラットケーブル巻取装置。
（４）  前記ローラは、円盤部（５１）と、該円盤部の周縁から円筒状に立設した周壁（５２）と、前記円盤部から前記周壁と同じ方向に円柱状に立設した前記軸部と、を一体に備えて構成され、前記一対の支持部は、それぞれ、前記回転テーブルの径方向に直交する方向に対向して、互いの間に前記軸部を挿入させる対向面（４４）と、該対向面に連続して設けられて前記周壁の内周面に摺動する円弧状の摺動面（４５）と、
を備えていることを特徴とする上記（３）に記載のフラットケーブル巻取装置。
（５）  前記付勢手段は、ゼンマイ発条である、
ことを特徴とする上記（２）から（４）のいずれか１項に記載のフラットケーブル巻取装置。
【符号の説明】
【００３８】
１  フラットケーブル巻取装置
２  フラットケーブル
３  ケース
４  回転テーブル
５  ローラ
６  渦巻きばね（付勢手段）
７  中心軸
４１  テーブル本体
４２  複数の案内部
【図１】
2015126615.tif 000003
【図２】
2015126615.tif 000004
【図３】
2015126615.tif 000005
【図４】
2015126615.tif 000006
【図５】
2015126615.tif 000007
【図６】
2015126615.tif 000008
【図７】
2015126615.tif 000009